(57)【特許請求の範囲】
【請求項１】
連続する複数の周波数サブキャリアにて形成された周波数ブロックによってシステム帯域が複数に分割されるとともに、各周波数ブロックが複数の分割ブロックによって時間方向に複数に分割されており、基地局装置によって、下りリンクのチャネルが分割ブロックに割り当てられ、分割ブロックにマッピングされた下りリンクのチャネルのデータを受信する受信部と、
前記受信部において受信した下りリンクのチャネルのデータを処理する処理部とを備え、
前記受信部では、少なくともふたつの周波数ブロックに分散された複数の分割ブロックであって、かつ時間方向に連続した複数の分割ブロックに、同一受信装置に対する下りリンクのチャネルが割り当てられていることを特徴とする受信装置。
【請求項２】
連続する複数の周波数サブキャリアにて形成された周波数ブロックによってシステム帯域が複数に分割されるとともに、各周波数ブロックが複数の分割ブロックによって時間方向に複数に分割されており、基地局装置によって、下りリンクのチャネルが分割ブロックに割り当てられ、分割ブロックにマッピングされた下りリンクのチャネルのデータを受信する受信部と、
前記受信部において受信した下りリンクのチャネルのデータを処理する処理部とを備え、
前記受信部では、少なくともふたつの周波数ブロックに分散された複数の分割ブロックであって、かつ時間方向に連続した複数の分割ブロックに、同一受信装置に対する下りリンクのチャネルを割り当てるＤｉｓｔｒｉｂｕｔｅｄ型送信と、一定の周波数ブロックに下りリンクのチャネルを割り当てるＬｏｃａｌｉｚｅｄ型送信とが規定されており、一方が使用されていることを特徴とする受信装置。
【請求項３】
前記受信部では、システム帯域内の周波数ブロックの数に応じて離れた少なくともふたつの周波数ブロックにおいて、下りリンクのチャネルが複数の分割ブロックに割り当てられていることを特徴とする請求項１または２に記載の受信装置。
【請求項４】
前記受信部では、下りリンクのチャネルが割り当てられた分割ブロックに関する制御情報を、複数の周波数ブロックの先頭部分において受信することを特徴とする請求項１に記載の受信装置。
【請求項５】
前記受信部では、下りリンクのチャネルが割り当てられた分割ブロックに関する制御情報を、複数の周波数ブロックの先頭部分において受信することを特徴とする請求項２に記載の受信装置。
【請求項６】
前記受信部では、Ｌｏｃａｌｉｚｅｄ型送信を行うかあるいはＤｉｓｔｒｉｂｕｔｅｄ型送信を行うかを示す情報と、割り当て情報とが含まれた制御情報を受信することを特徴とする請求項５に記載の受信装置。
【請求項７】
連続する複数の周波数サブキャリアにて形成された周波数ブロックによってシステム帯域が複数に分割されるとともに、各周波数ブロックが複数の分割ブロックによって時間方向に複数に分割されており、基地局装置によって、下りリンクのチャネルが分割ブロックに割り当てられ、分割ブロックにマッピングされた下りリンクのチャネルのデータを受信するステップと、
受信した下りリンクのチャネルのデータを処理するステップとを備え、
前記受信するステップでは、少なくともふたつの周波数ブロックに分散された複数の分割ブロックであって、かつ時間方向に連続した複数の分割ブロックに、同一受信装置に対する下りリンクのチャネルが割り当てられていることを特徴とする受信方法。
【請求項８】
連続する複数の周波数サブキャリアにて形成された周波数ブロックによってシステム帯域が複数に分割されるとともに、各周波数ブロックが複数の分割ブロックによって時間方向に複数に分割されており、基地局装置によって、下りリンクのチャネルが分割ブロックに割り当てられ、分割ブロックにマッピングされた下りリンクのチャネルのデータを受信するステップと、
受信した下りリンクのチャネルのデータを処理するステップとを備え、
前記受信するステップでは、少なくともふたつの周波数ブロックに分散された複数の分割ブロックであって、かつ時間方向に連続した複数の分割ブロックに、同一受信装置に対する下りリンクのチャネルを割り当てるＤｉｓｔｒｉｂｕｔｅｄ型送信と、一定の周波数ブロックに下りリンクのチャネルを割り当てるＬｏｃａｌｉｚｅｄ型送信とが規定されており、一方が使用されていることを特徴とする受信方法。
【請求項９】
前記受信するステップでは、システム帯域内の周波数ブロックの数に応じて離れた少なくともふたつの周波数ブロックにおいて、下りリンクのチャネルが複数の分割ブロックに割り当てられていることを特徴とする請求項７または８に記載の受信方法。
【請求項１０】
前記受信するステップでは、下りリンクのチャネルが割り当てられた分割ブロックに関する制御情報を、複数の周波数ブロックの先頭部分において受信することを特徴とする請求項７に記載の受信方法。
【請求項１１】
前記受信するステップでは、下りリンクのチャネルが割り当てられた分割ブロックに関する制御情報を、複数の周波数ブロックの先頭部分において受信することを特徴とする請求項８に記載の受信方法。
【請求項１２】
前記受信するステップでは、Ｌｏｃａｌｉｚｅｄ型送信を行うかあるいはＤｉｓｔｒｉｂｕｔｅｄ型送信を行うかを示す情報と、割り当て情報とが含まれた制御情報を受信することを特徴とする請求項１１に記載の受信方法。
【請求項１３】
下りリンクのチャネルのデータを送信する送信装置と、
前記送信装置からの下りリンクのチャネルのデータを受信する受信装置とを備え、
前記送信装置は、
連続する複数の周波数サブキャリアにて形成された周波数ブロックによってシステム帯域が複数に分割されるとともに、各周波数ブロックが複数の分割ブロックによって時間方向に複数に分割されており、下りリンクのチャネルを分割ブロックに割り当てる周波数スケジューリング部と、
前記周波数スケジューリング部において割り当てた分割ブロックに、下りリンクのチャネルのデータをマッピングするマッピング部と
を備え、
前記周波数スケジューリング部は、少なくともふたつの周波数ブロックに分散された複数の分割ブロックであって、かつ時間方向に連続した複数の分割ブロックに、同一ユーザに対する下りリンクのチャネルを割り当てることを特徴とする通信システム。
【請求項１４】
下りリンクのチャネルのデータを送信する送信装置と、
前記送信装置からの下りリンクのチャネルのデータを受信する受信装置とを備え、
前記送信装置は、
連続する複数の周波数サブキャリアにて形成された周波数ブロックによってシステム帯域が複数に分割されるとともに、各周波数ブロックが複数の分割ブロックによって時間方向に複数に分割されており、下りリンクのチャネルを分割ブロックに割り当てる周波数スケジューリング部と、
前記周波数スケジューリング部において割り当てた分割ブロックに、下りリンクのチャネルのデータをマッピングするマッピング部と
を備え、
前記周波数スケジューリング部は、少なくともふたつの周波数ブロックに分散された複数の分割ブロックであって、かつ時間方向に連続した複数の分割ブロックに、同一ユーザに対する下りリンクのチャネルを割り当てるＤｉｓｔｒｉｂｕｔｅｄ型送信と、一定の周波数ブロックに下りリンクのチャネルを割り当てるＬｏｃａｌｉｚｅｄ型送信とが規定されており、一方を使用することを特徴とする通信システム。
【発明の詳細な説明】
【技術分野】
【０００１】
本発明は、送信装置および送信方法に関する。
【背景技術】
【０００２】
下りリンクデータチャネルにおける送信方法には、Ｌｏｃａｌｉｚｅｄ型送信と、Ｄｉｓｔｒｉｂｕｔｅｄ型送信とがある。
【０００３】
Ｌｏｃａｌｉｚｅｄ型送信では、図１Ａに示すように、各ユーザに対して、周波数ブロックを単位として割り当てられる。例えば、Ｌｏｃａｌｉｚｅｄ型送信では、周波数選択性フェージングがよい周波数ブロックが割り当てられる。Ｌｏｃａｌｉｚｅｄ型送信は、一般に、送信データサイズが大きく、周波数スケジューリング効果を狙う場合に有効な送信方法である。
【０００４】
Ｄｉｓｔｒｉｂｕｔｅｄ型送信では、図１Ｂに示すように、周波数ブロックにこだわらず割り当てられた帯域全体に分散させてデータの送信が行われる。例えば、Ｄｉｓｔｒｉｂｕｔｅｄ型送信は、高速移動時における周波数スケジューリングができない状態、ＶｏＩＰなど送信データが小さい場合に使用される。Ｄｉｓｔｒｉｂｕｔｅｄ型送信は、一般に、送信データサイズが小さく、周波数ダイバーシチ効果を狙う場合に有利な送信方法である。
【先行技術文献】
【非特許文献】
【０００５】
【非特許文献１】3GPP, R1-061308, NEC, "Resource Allocation Signaling for E-UTRA," May 2006.
【発明の概要】
【発明が解決しようとする課題】
【０００６】
しかしながら、上述した背景技術には以下の問題がある。
【０００７】
１つのシステムで、低速移動時から高速移動時までの通信をサポートする必要がある。
【０００８】
また、データサイズの大きいＷｅｂブラウジングのようなパケットからデータサイズの小さいＶｏＩＰなどのパケットまで１つのシステムでサポートする必要がある。
【０００９】
そこで、本発明は、上述した問題を解決するためになされたものであり、１つのシステムで、Ｌｏｃａｌｉｚｅｄ型送信と、Ｄｉｓｔｒｉｂｕｔｅｄ型送信とをサポートできる送信装置および送信方法を提供することにある。
【課題を解決するための手段】
【００１０】
上記課題を解決するため、本受信装置は、
連続する複数の周波数サブキャリアにて形成された周波数ブロックによってシステム帯域が複数に分割されるとともに、各周波数ブロックが複数の分割ブロックによって時間方向に複数に分割されており、基地局装置によって、下りリンクのチャネルが分割ブロックに割り当てられ、分割ブロックにマッピングされた下りリンクのチャネルのデータを受信する受信部と、
前記受信部において受信した下りリンクのチャネルのデータを処理する処理部とを備え、
前記受信部では、少なくともふたつの周波数ブロックに分散された複数の分割ブロックであって、かつ時間方向に連続した複数の分割ブロックに、同一受信装置に対する下りリンクのチャネルが割り当てられている。
【００１１】
このように構成することにより、１つの分散型周波数ブロックに収まってしまうパケットを、複数の分割ブロックに割り当てることができる。
【００１２】
本受信方法は、
連続する複数の周波数サブキャリアにて形成された周波数ブロックによってシステム帯域が複数に分割されるとともに、各周波数ブロックが複数の分割ブロックによって時間方向に複数に分割されており、基地局装置によって、下りリンクのチャネルが分割ブロックに割り当てられ、分割ブロックにマッピングされた下りリンクのチャネルのデータを受信するステップと、
受信した下りリンクのチャネルのデータを処理するステップとを備え、
前記受信するステップでは、少なくともふたつの周波数ブロックに分散された複数の分割ブロックであって、かつ時間方向に連続した複数の分割ブロックに、同一受信装置に対する下りリンクのチャネルが割り当てられている。
【００１３】
このようにすることにより、１つの分散型周波数ブロックに収まってしまうパケットを、複数の分割ブロックに割り当てることができる。
【発明の効果】
【００１４】
本発明の実施例によれば、１つのシステムで、Ｌｏｃａｌｉｚｅｄ型送信と、Ｄｉｓｔｒｉｂｕｔｅｄ型送信とをサポートできる送信装置および送信方法を実現できる。
【図面の簡単な説明】
【００１５】
【図１Ａ】Ｌｏｃａｌｉｚｅｄ型送信を示す説明図である。
【図１Ｂ】Ｄｉｓｔｒｉｂｕｔｅｄ型送信を示す説明図である。
【図２】本発明の一実施例にかかる送信装置を示す部分ブロック図である。
【図３】本発明の一実施例にかかる送信装置の動作を示す説明図である。
【図４Ａ】本発明の一実施例にかかる送信装置の動作を示す説明図である。
【図４Ｂ】本発明の一実施例にかかる送信装置の動作を示す説明図である。
【図５】ＬｏｃａｌｉｚｅｄとＤｉｓｔｒｉｂｕｔｅｄの多重法における割り当て情報の通知方法を示す説明図である。
【図６】ＬｏｃａｌｉｚｅｄとＤｉｓｔｒｉｂｕｔｅｄの多重法における割り当て情報の通知方法を示す説明図である。
【図７】ＬｏｃａｌｉｚｅｄとＤｉｓｔｒｉｂｕｔｅｄの多重法における割り当て情報の通知方法を示す説明図である。
【図８】ＬｏｃａｌｉｚｅｄとＤｉｓｔｒｉｂｕｔｅｄの多重法における割り当て情報の通知方法を示す説明図である。
【図９】ＬｏｃａｌｉｚｅｄとＤｉｓｔｒｉｂｕｔｅｄの多重法における割り当て情報の通知方法を示す説明図である。
【図１０】本発明の一実施例にかかる送信装置における周波数スケジューリング部を示す部分ブロック図である。
【図１１】本発明の一実施例にかかる送信装置における周波数スケジューリング部の動作を示す説明図である。
【図１２】本発明の一実施例にかかる送信装置における周波数スケジューリング部を示す部分ブロック図である。
【図１３】本発明の一実施例にかかる送信装置における周波数スケジューリング部の動作を示す説明図である。
【図１４】本発明の一実施例にかかる送信装置における周波数スケジューリング部を示す部分ブロック図である。
【図１５】本発明の一実施例にかかる送信装置における周波数スケジューリング部の動作を示す説明図である。
【図１６】本発明の一実施例にかかる送信装置における無線リソースの割り当てを示すフロー図である。
【図１７Ａ】ＬｏｃａｌｉｚｅｄとＤｉｓｔｒｉｂｕｔｅｄの多重法における割り当て情報の通知方法を示す説明図である。
【図１７Ｂ】ＬｏｃａｌｉｚｅｄとＤｉｓｔｒｉｂｕｔｅｄの多重法における割り当て情報の通知方法を示す説明図である。
【図１８】ＬｏｃａｌｉｚｅｄとＤｉｓｔｒｉｂｕｔｅｄの多重法における割り当て情報の通知方法を示す説明図である。
【図１９】ＬｏｃａｌｉｚｅｄとＤｉｓｔｒｉｂｕｔｅｄの多重法における割り当て情報の通知方法を示す説明図である。
【図２０】ＬｏｃａｌｉｚｅｄとＤｉｓｔｒｉｂｕｔｅｄの多重法における割り当て情報の通知方法を示す説明図である。
【図２１Ａ】本発明の一実施例にかかる送信装置における周波数スケジューリング部の動作を示す説明図である。
【図２１Ｂ】本発明の一実施例にかかる送信装置における周波数スケジューリング部の動作を示す説明図である。
【図２２Ａ】本発明の一実施例にかかる送信装置における周波数スケジューリング部の動作を示す説明図である。
【図２２Ｂ】本発明の一実施例にかかる送信装置における周波数スケジューリング部の動作を示す説明図である。
【図２３Ａ】本発明の一実施例にかかる送信装置における周波数スケジューリング部の動作を示す説明図である。
【図２３Ｂ】本発明の一実施例にかかる送信装置における周波数スケジューリング部の動作を示す説明図である。
【図２４Ａ】本発明の一実施例にかかる送信装置における周波数スケジューリング部の動作を示す説明図である。
【図２４Ｂ】本発明の一実施例にかかる送信装置における周波数スケジューリング部の動作を示す説明図である。
【図２５Ａ】本発明の一実施例にかかる送信装置における周波数スケジューリング部の動作を示す説明図である。
【図２５Ｂ】本発明の一実施例にかかる送信装置における周波数スケジューリング部の動作を示す説明図である。
【図２６】ＬｏｃａｌｉｚｅｄとＤｉｓｔｒｉｂｕｔｅｄの多重法における割り当て情報の通知方法を示す説明図である。
【図２７】ＬｏｃａｌｉｚｅｄとＤｉｓｔｒｉｂｕｔｅｄの多重法における割り当て情報の通知方法を示す説明図である。
【図２８】ＬｏｃａｌｉｚｅｄとＤｉｓｔｒｉｂｕｔｅｄの多重法における割り当て情報の通知方法を示す説明図である。
【図２９】本発明の一実施例にかかる送信装置における周波数スケジューリング部の動作を示す説明図である。
【図３０】本発明の一実施例にかかる送信装置における周波数スケジューリング部の動作を示す説明図である。
【図３１】Ｔｒｅｅ  Ｂａｓｅｄ  Ｒｅｓｏｕｒｃｅ  Ａｌｌｏｃａｔｉｏｎを示す説明図である。
【発明を実施するための形態】
【００１６】
次に、本発明を実施するための形態を、以下の実施例に基づき図面を参照しつつ説明する。
なお、実施例を説明するための全図において、同一機能を有するものは同一符号を用い、繰り返しの説明は省略する。
【００１７】
本発明の実施例にかかる送信装置について、図２を参照して説明する。
【００１８】
本実施例にかかる送信装置１００は、Ｌｏｃａｌｉｚｅｄ型送信の範疇で、Ｄｉｓｔｒｉｂｕｔｅｄ型送信を行う。送信装置１００は、例えば基地局に備えられる。
【００１９】
送信装置１００は、各移動局（ＵＥ）のモビリティを示す情報と、各移動局のトラフィックを示す情報、例えばサイズ、種類とが入力される割り当て比率決定手段としてのリソースブロック（ＲＢ）割り当て比率の切り替え部１０２と、各移動局の伝搬路情報と、各移動局の優先度情報と、リソースブロック割り当て比率の切り替え部１０２の出力信号が入力される周波数スケジューリング部１０４と、周波数スケジューリング部１０４の出力信号がそれぞれ入力される制御情報生成部１０６および送信データ生成部１１２と、制御情報生成部１０６および送信データ生成部１１２の出力信号がそれぞれ入力される符号化率、データ変調決定部１０８および１１４と、符号化率、データ変調決定部１０８の出力信号が入力され、制御情報を出力するマッピング部１１０と、符号化率、データ変調決定部１１４の出力信号と、データとが入力され、データを出力するマッピング部１１６とを備える。
【００２０】
リソースブロック割り当て比率の切り替え部１０２は、各移動局のモビリティを示す情報と、トラヒック情報などとに基づいて、Ｌｏｃａｌｉｚｅｄ、Ｄｉｓｔｒｉｂｕｔｅｄに対し、それぞれどのような比率で、リソースブロックを配分するかを決定し、求めた値をリソースブロック割り当て比率情報として周波数スケジューリング部１０４に入力する。
【００２１】
リソースブロック割り当て比率の切り替え部１０２は、リソースブロックの割り当て比率の決定を、例えば高モビリティの移動局が多い場合や、ＶｏＩＰのようなデータ量の小さいトラヒックが多い場合は、Ｄｉｓｔｒｉｂｕｔｅｄ型を割り当てるリソースブロックの比率を大きくする。
【００２２】
周波数スケジューリング部１０４は、入力された各移動局の伝搬路を示す情報と、各移動局の優先度を示す情報と、リソースブロック割り当て比率情報に基づいて、各移動局へのリソースブロックの割り当てを行う。ここで、優先度情報とは、例えば、再送要求の有無、送信端末からパケットが送出されてからの経過時間、目標伝送レート、実現できているスループット、パケット転送における許容遅延などのような項目を考慮して移動局毎に数値化された情報である。
【００２３】
例えば、周波数スケジューリング部１０４は、所定の周期、例えばスケジューリングの周期毎に、各移動局の状態、例えばチャネル状態、トラヒックに応じて決定されたリソースブロック割り当て比率情報に基づいて、ＬｏｃａｌｉｚｅｄとＤｉｓｔｒｉｂｕｔｅｄへのリソースブロック割り当ての比率を適応的に切り替える。このようにすることにより、データチャネルのスループットを増大することができる。
【００２４】
また、周波数スケジューリング部１０４は、長周期で、各移動局の状態、例えばトラヒックに応じて決定されたリソースブロック割り当て比率情報に基づいて、ＬｏｃａｌｉｚｅｄとＤｉｓｔｒｉｂｕｔｅｄへのリソースブロック割り当ての比率を切り替えるようにしてもよい。このようにすることにより、スケジューリングの周期毎に切り替えを行う場合と比較して制御が容易である。また、Ｄｉｓｔｒｉｂｕｔｅｄへのリソースブロック割り当て数を通知する制御ビット数も削減できる。
【００２５】
例えば、周波数スケジューリング部１０４は、図３に示すように、Ｌｏｃａｌｉｚｅｄ型送信を行うデータとＤｉｓｔｒｉｂｕｔｅｄ型送信を行うデータとを周波数ブロックを割り当て単位として割り当てる。すなわち、周波数スケジューリング部１０４は、各ユーザに対してシステム帯域幅を連続する周波数サブキャリアのブロックに分割した周波数ブロックを割り当て単位として、システム帯域幅内に離散的に分散した周波数サブキャリアからなる分散型周波数ブロック（リソースブロック）を割り当てる。このようにすることにより、Ｄｉｓｔｒｉｂｕｔｅｄ型送信を行う場合に必要であるシグナリング情報を不要にできる。
【００２６】
また、周波数スケジューリング部１０４は、リソースブロックレベルでＤｉｓｔｒｉｂｕｔｅｄ送信を行う場合に、１つのリソースブロックを複数に分割、例えばＮ分割（Ｎは、Ｎ＞０の整数）する。すなわち、周波数スケジューリング部１０４は、分散型周波数ブロックを複数に分割した分割ブロックを、リソースブロックとして割り当てる。ここで、リソースブロックとは、ユーザをマッピングする単位、例えばあるユーザを割り当てる単位を示す。
【００２７】
例えば、周波数スケジューリング部１０４は、図４Ａに示すように、１つのリソースブロックを時間方向に複数に分割、例えば２分割し、各移動局、例えば２ユーザにリソースブロックを割り当てる。例えば、図４Ａに示すように、周波数スケジューリング部１０４は、第１ブロックと第２にブロックとを異なるユーザに割り当てる。
【００２８】
また例えば、周波数スケジューリング部１０４は、図４Ｂに示すように、１つのリソースブロックを周波数方向に複数に分割、例えば２分割し、各移動局、例えば２ユーザにリソースブロックを割り当てるようにしてもよい。例えば、図４Ｂに示すように、周波数スケジューリング部１０４は、第１ブロックと第２にブロックとを異なるユーザに割り当てる。
【００２９】
図４Ａおよび図４Ｂにおいて、先頭の２シンボルはパイロットとシグナリングビット、すなわちパイロットチャネルとＬ１／Ｌ２制御チャネルとなる。
【００３０】
リソースブロックレベルのＤｉｓｔｒｉｂｕｔｅｄ型送信では、複数のリソースブロックを割り当てないと周波数ダイバーシチ効果が得られない。このため、ＶｏＩＰのようにデータ量の小さいトラヒックでは、１リソースブロックに全てのデータが収まってしまい、周波数ダイバーシチ効果が得られない。ＶｏＩＰでは、例えば１８０ビットが１パケットのデータ量になる。
【００３１】
このように、リソースブロックをN分割することによって、もともと１つのリソースブロックに収まってしまうパケットを、Ｎ個のリソースブロックに割り当てられるので、周波数ダイバーシチ効果を増大することができる。
【００３２】
制御情報生成部１０６は、周波数スケジューリング部１０４においてリソースブロックを割り当てた移動局に対応する制御情報を作成する。
【００３３】
例えば、制御情報生成部１０６は、Ｌｏｃａｌｉｚｅｄ型送信を行うリソースブロックの番号に対して、リソースブロックの物理的な位置を示す識別符号、例えば番号を割り当てる。例えば、図５に示すように、帯域内に１６個のリソースブロックが存在する場合、全てのリソースブロックがＬｏｃａｌｉｚｅｄ型送信を行うリソースブロックの場合、Ｌｏｃａｌｉｚｅｄ型送信を行うリソースブロックの番号とリソースブロックの物理的な位置を示す番号とが同一となる。
【００３４】
また、制御情報生成部１０６は、Ｄｉｓｔｒｉｂｕｔｅｄ型送信を行う場合、一部のリソースブロックをＤｉｓｔｒｉｂｕｔｅｄ型送信を行うリソースブロックに置き換える。例えば、制御情報生成部１０６は、４個のリソースブロックを、Ｄｉｓｔｒｉｂｕｔｅｄ型送信を行うリソースブロックに変換する。ただし、本実施例においては、Ｄｉｓｔｒｉｂｕｔｅｄ型送信を行うリソースブロックの数に応じて、どのＬｏｃａｌｉｚｅｄ型送信を行うリソースブロックを、Ｄｉｓｔｒｉｂｕｔｅｄ型送信を行うリソースブロックに置き換えるかのルールはあらかじめ決まっている場合について説明する。
【００３５】
例えば、制御情報生成部１０６は、図６に示すように、リソースブロックの物理的な位置を示す識別符号、例えば番号を０番から割り当て、Ｄｉｓｔｒｉｂｕｔｅｄ型送信を行うリソースブロック数がＮの場合は、１６／Ｎごとのリソースブロックを、Ｄｉｓｔｒｉｂｕｔｅｄ型送信を行うリソースブロックに割り当てる。このようにすることにより、Ｄｉｓｔｒｉｂｕｔｅｄ型送信に割り当てられるリソースブロックを、Ｄｉｓｔｒｉｂｕｔｅｄ型送信を行うリソースブロックの数から一意に決定することができるため、制御情報量を低減できる。
【００３６】
また、制御情報生成部１０６は、Ｌｏｃａｌｉｚｅｄ型送信を行うリソースブロック、Ｄｉｓｔｒｉｂｕｔｅｄ型送信を行うリソースブロックに、決まった所定のルールに基づいて、通し番号を振る。例えば、制御情報生成部１０６は、図６に示すように、リソースブロックの物理的な位置番号が小さい順にまずＬｏｃａｌｉｚｅｄ型送信を行うリソースブロックに番号を振り、その後続いて、Ｄｉｓｔｒｉｂｕｔｅｄ型送信を行うリソースブロックに番号を振る。このようにすることにより、Ｄｉｓｔｒｉｂｕｔｅｄ型送信を行うリソースブロックの数から、各番号のＤｉｓｔｒｉｂｕｔｅｄ型送信を行うリソースブロックと、Ｌｏｃａｌｉｚｅｄ型送信を行うリソースブロックの物理的位置を一意に同定できる。このため、割り当て情報の通知を少ないビット数で実現できる。
【００３７】
一例として、移動局０（ＵＥ０）、移動局１（ＵＥ１）、移動局２（ＵＥ２）、移動局３（ＵＥ３）および移動局４（ＵＥ４）に対して、リソースブロックを割り当てる場合について、図７を参照して説明する。
【００３８】
例えば、移動局０、１および２は低モビリティのユーザであり、移動局３および４は高モビリティのユーザである。したがって、周波数スケジューリング部１０４は、移動局０、１および２に対してＬｏｃａｌｉｚｅｄ型送信を行うリソースブロックを割り当て、移動局３および４に対してＤｉｓｔｒｉｂｕｔｅｄ型送信を行うリソースブロックを割り当てる。
【００３９】
例えば、周波数スケジューリング部１０４は、移動局０に対してリソースブロック＃０、＃１および＃３を割り当て、移動局１に対してリソースブロック＃２を割り当て、移動局＃２に対してリソースブロック＃４、＃５、＃６、＃７、＃８、＃９、＃１０および＃１１を割り当て、移動局＃３に対してリソースブロック＃１２、＃１３および＃１４を割り当て、移動局＃４に対してリソースブロック＃１５を割り当てる。
【００４０】
割り当て情報の通知方法について説明する。
【００４１】
複数の移動局の割り当て情報をまとめて符号化して送信する場合、図８に示すように、制御情報生成部１０６は、Ｄｉｓｔｒｉｂｕｔｅｄ型送信を行うリソースブロック数、割り当て移動局のＩＤ、各リソースブロックの割り当て移動局番号を通知する。すなわち、制御情報生成部１０６は、リソースブロックを示す識別符号の数と、周波数ブロックおよび分割ブロックのうちの一方が割り当てられる全移動局を示す情報と、各識別符号に対応する移動局を示す情報とを、制御情報として生成する。
【００４２】
Ｄｉｓｔｒｉｂｕｔｅｄ型送信を行うリソースブロック数は、例えば１から１６であり、４ビット必要である。
【００４３】
割り当て移動局のＩＤは、同時に割り当てる最大ユーザ数分あり、それぞれ、割り当てた移動局のＩＤが指示される。
【００４４】
例えば、最大割り当てユーザ数が４、割り当て移動局ＩＤが１２ｂｉｔである場合、＃０には、例えばａｂｃｄｅｆｇｈｉｊｋｌ（割り当てユーザ＃０に指名された移動局のＩＤ）、＃１から＃３にも同様に割り当てられた移動局のＩＤが格納される。この場合、合計ビット数は、４×１２＝４８ビットとなる。
【００４５】
以降、各リソースブロックへの割り当て移動局番号は、移動局ＩＤではなく、割り当てユーザ番号、例えば＃０−＃３で指示される。
【００４６】
各リソースブロックの割り当て移動局番号は、Ｄｉｓｔｒｉｂｕｔｅｄ型送信を行うリソースブロック、Ｌｏｃａｌｉｚｅｄ型送信を行うリソースブロックに付与された通し番号である。リソースブロックの物理的位置を示す番号ではない。例えば、リソースブロック数が１６であり、最大割り当てユーザが４（２ビット）のとき、必要なビット数は１６×２＝３２ビット必要である。例えば、リソースブロック番号＃０に対して移動局＃１、＃１に対して移動局＃３、＃２に対して移動局＃０、＃３に対して移動局＃２、＃４に対して移動局＃２となる。
【００４７】
また、割り当て移動局毎に割り当て情報を符号化して送信するようにしてもよい。
【００４８】
この場合、図９に示すように、制御情報生成部１０６は、Ｄｉｓｔｒｉｂｕｔｅｄ型送信を行うリソースブロック数、割り当て移動局のＩＤ、各リソースブロックの割り当て移動局番号を通知する。すなわち、制御情報生成部１０６は、リソースブロックを示す識別符号の数と、周波数ブロックおよび分割ブロックのうちの一方が割り当てられる移動局を示す情報と、各識別符号に対応する移動局を示す情報とを、制御情報として生成する。
【００４９】
Ｄｉｓｔｒｉｂｕｔｅｄ型送信を行うリソースブロック数は、例えば１から１６であり、４ビット必要である。
【００５０】
割り当て移動局のＩＤは、移動局のＩＤが格納される。例えば、必要なビット数は移動局のＩＤビット数、例えば１２ビットとなる。
【００５１】
各リソースブロックの割り当て移動局番号は、Ｄｉｓｔｒｉｂｕｔｅｄ型送信を行うリソースブロック、Ｌｏｃａｌｉｚｅｄ型送信を行うリソースブロックに付与された通し番号である。リソースブロックの物理的位置を示す番号ではない。例えば、割り当てられたリソースブロックに１のフラグを立てる。この場合、割り当てないリソースブロックには０のフラグが立てられる。必要なビット数は、リソースブロック数と同数となり、例えば１６ビットとなる。例えば、リソースブロック番号＃０に対して０、＃１に対して０、＃２に対して０、＃３に対して１、＃４に対して１となる。
【００５２】
符号化率、データ変調決定部１０８は、制御情報を送信する場合に使用する符号化率、データ変調の値を決定する。
【００５３】
マッピング部１１０は、符号化率、データ変調決定部１０８において決定されたデータ変調および符号化を行い、物理チャネルにマッピングを行う。その結果、制御情報が送信される。
【００５４】
送信データ生成部１１２は、各移動局に割り当てられたリソースブロック数に応じて、送信データを作成する。例えば、送信データ生成部１１２は、送信データ量を決定する。
【００５５】
符号化率、データ変調決定部１１４は、周波数スケジューリング部１０４で割り当てられた各移動局のデータ、制御情報に対し、それぞれ符号化率、データ変調の値を決定する。
【００５６】
マッピング部１１６は、データ変調、および符号化を行い、物理チャネルにマッピングを行う。
【００５７】
次に、周波数スケジューリング部１０４における送信データの割り当て動作について、図１０を参照して説明する。
【００５８】
周波数スケジューリング部１０４は、Ｌｏｃａｌｉｚｅｄ型送信を行うデータを優先して割り当てを行う。
【００５９】
例えば、図１０に示すように、周波数スケジューリング部１０４は、Ｌｏｃａｌｉｚｅｄ型割り当て部１０４２と、Ｌｏｃａｌｉｚｅｄ型割り当て部１０４２の出力信号が入力されるＤｉｓｔｒｉｂｕｔｅｄ型割り当て部１０４４とを備える。
【００６０】
Ｌｏｃａｌｉｚｅｄ型割り当て部１０４２には、各移動局の伝搬路情報と、優先度情報と、Ｌｏｃａｌｉｚｅｄ、Ｄｉｓｔｒｉｂｕｔｅｄへの割り当て比率を示す情報が入力され、これらの情報、すなわち、伝搬路情報、優先度情報などに基づいて、Ｌｏｃａｌｉｚｅｄ型送信を行うデータに優先して割り当てを行う。
【００６１】
例えば、Ｌｏｃａｌｉｚｅｄ型割り当て部１０４２は、図１１に示すように、リソースブロック割り当て比率情報に基づいて、Ｄｉｓｔｒｉｂｕｔｅｄ型送信を行うユーザに割り当てるリソースブロック数を残して、Ｌｏｃａｌｉｚｅｄ型送信を行う移動局の各リソースブロックにおける受信状態を考慮して、Ｌｏｃａｌｉｚｅｄ型送信を行うユーザへの割り当てを先に行う。例えば、Ｌｏｃａｌｉｚｅｄ型割り当て部１０４２は、優先度に基づいて、各移動局へリソースブロックの割り当てを行う。
【００６２】
Ｄｉｓｔｒｉｂｕｔｅｄ型割り当て部１０４２は、Ｌｏｃａｌｉｚｅｄ型送信を行うデータが割り当てられたリソースブロック以外のリソースブロックに対して、Ｄｉｓｔｒｉｂｕｔｅｄ型送信を行うデータを割り当てる。
【００６３】
例えば、Ｄｉｓｔｒｉｂｕｔｅｄ型割り当て部１０４２は、図１１に示すように、Ｌｏｃａｌｉｚｅｄ型送信を行うユーザへの割り当て後に、残ったリソースブロックを用いて、Ｄｉｓｔｒｉｂｕｔｅｄ型送信を行うユーザへの割り当てを行う。Ｄｉｓｔｒｉｂｕｔｅｄ型割り当て部１０４２は、優先度に基づいて、各移動局へリソースブロックの割り当てを行う。
【００６４】
また、周波数スケジューリング部１０４は、Ｄｉｓｔｒｉｂｕｔｅｄ型送信を行うデータを優先して割り当てを行うようにしてもよい。
【００６５】
例えば、図１２に示すように、周波数スケジューリング部１０４は、Ｄｉｓｔｒｉｂｕｔｅｄ型割り当て部１０４４と、Ｄｉｓｔｒｉｂｕｔｅｄ型割り当て部１０４４の出力信号が入力されるＬｏｃａｌｉｚｅｄ型割り当て部１０４２とを備える。
【００６６】
Ｄｉｓｔｒｉｂｕｔｅｄ型割り当て部１０４４には、各移動局の伝搬路情報と、優先度情報と、Ｌｏｃａｌｉｚｅｄ、Ｄｉｓｔｒｉｂｕｔｅｄへのリソースブロック割り当て比率を示す情報が入力され、これらの情報、すなわち、伝搬路情報、優先度情報などに基づいて、Ｄｉｓｔｒｉｂｕｔｅｄ型送信を行うデータに優先して割り当てを行う。
【００６７】
例えば、Ｄｉｓｔｒｉｂｕｔｅｄ型割り当て部１０４４は、図１３に示すように、リソースブロック割り当て比率情報によりＬｏｃａｌｉｚｅｄ型送信を行うユーザに割り当てるリソースブロック数に基づいて、Ｄｉｓｔｒｉｂｕｔｅｄで送信する移動局の各リソースブロックにおける受信状態に基づいて、あるいは，周波数ダイバーシチ効果が大きく得られるようにＤｉｓｔｒｉｂｕｔｅｄ型送信を行うユーザへの割り当てるリソースブロックを決定する。例えば、Ｄｉｓｔｒｉｂｕｔｅｄ型割り当て部１０４４は、優先度に基づいて、各移動局へリソースブロックの割り当てを行う。
【００６８】
Ｌｏｃａｌｉｚｅｄ型割り当て部１０４２は、図１３に示すようにＤｉｓｔｒｉｂｕｔｅｄ型送信を行うユーザへの割り当て後に残ったリソースブロックを、Ｌｏｃａｌｉｚｅｄ型送信を行うユーザへ割り当てる。Ｌｏｃａｌｉｚｅｄ型割り当て部１０４２は、優先度に基づいて、各移動局へリソースブロックの割り当てを行う。
【００６９】
また、周波数スケジューリング部１０４は、Ｌｏｃａｌｉｚｅｄ、Ｄｉｓｔｒｉｂｕｔｅｄに対し、それぞれ予め指定されたリソースブロックへ割り当てを行うようにしてもよい。
【００７０】
周波数スケジューリング部１０４は、Ｌｏｃａｌｉｚｅｄ、Ｄｉｓｔｒｉｂｕｔｅｄ型送信を行うユーザに対して、それぞれ予め指定されたリソースブロック内で割り当てを行う。このように、リソースブロックが予め指定されているため、Ｌｏｃａｌｉｚｅｄ、Ｄｉｓｔｒｉｂｕｔｅｄのどちらを先に割当てても割り当て結果は同じとなる。
【００７１】
例えば、図１４に示すように、周波数スケジューリング部１０４は、Ｄｉｓｔｒｉｂｕｔｅｄ型割り当て部１０４４と、Ｄｉｓｔｒｉｂｕｔｅｄ型割り当て部１０４４の出力信号が入力されるＬｏｃａｌｉｚｅｄ型割り当て部１０４２とを備える。
【００７２】
Ｄｉｓｔｒｉｂｕｔｅｄ型割り当て部１０４４には、各移動局の伝搬路情報と、優先度情報と、Ｌｏｃａｌｉｚｅｄ、Ｄｉｓｔｒｉｂｕｔｅｄへのリソースブロック割り当て比率を示す情報が入力される。
【００７３】
Ｄｉｓｔｒｉｂｕｔｅｄ型割り当て部１０４４は、図１５に示すように、Ｄｉｓｔｒｉｂｕｔｅｄ型送信用に指定されたリソースブロック内で、Ｄｉｓｔｒｉｂｕｔｅｄ型送信を行うユーザの割り当てを行う。例えば、Ｄｉｓｔｒｉｂｕｔｅｄ型割り当て部１０４４は、優先度に基づいて、各移動局へリソースブロックの割り当てを行う。
【００７４】
Ｌｏｃａｌｉｚｅｄ型割り当て部１０４２は、図１５に示すようにＬｏｃａｌｉｚｅｄ型送信用に指定されたリソースブロック内でＬｏｃａｌｉｚｅｄ型送信を行うユーザの割り当てを行う。例えば、Ｌｏｃａｌｉｚｅｄ型割り当て部１０４２は、優先度に基づいて、各移動局へリソースブロックの割り当てを行う。
【００７５】
次に、本実施例にかかる送信装置１００における無線リソース割り当てフローについて、図１６を参照して説明する。
【００７６】
周波数スケジューリング部１０４は、ＬｏｃａｌｉｚｅｄとＤｉｓｔｒｉｂｕｔｅｄのリソースブロック割り当て比率の切り替えタイミングであるか否かを判断する（ステップＳ１６０２）。
【００７７】
ＬｏｃａｌｉｚｅｄとＤｉｓｔｒｉｂｕｔｅｄのリソースブロック割り当て比率の切り替えタイミングである場合（ステップＳ１６０４：ＹＥＳ）、リソースブロック割り当て比率の切り替え部１０２は、リソースブロック割り当て比率の切り替えを行う（ステップＳ１６０４）。
【００７８】
一方、ＬｏｃａｌｉｚｅｄとＤｉｓｔｒｉｂｕｔｅｄのリソースブロック割り当て比率の切り替えタイミングでない場合（ステップＳ１６０４：ＮＯ）およびステップＳ１６０４において、リソースブロック割り当て比率の切り替えが行われた場合、周波数スケジューリング部１０４は、上述したような方法により、Ｌｏｃａｌｉｚｅｄ、Ｄｉｓｔｒｉｂｕｔｅｄに対し、リソースブロックへユーザの割り当てを行う（ステップＳ１６０６）。
【００７９】
次に、制御情報生成部１０６は、リソースブロックの割り当て情報を移動局に通知するための制御情報を生成する（ステップＳ１６０８）。
【００８０】
次に、送信データ生成部１１２は、周波数スケジューリング部１０４におけるスケジューリング結果に基づいて、各移動局へ送信するデータ量を決定し、送信信号系列を作成する（ステップＳ１６１０）。
【００８１】
次に、符号化率、データ変調決定部１０８および１１４は、割り当てられたデータ、制御情報に対して、データ変調・符号化率を決定する（ステップＳ１６１２）。
【００８２】
次に、マッピング部１１０および１１６は、データおよび制御情報を、それぞれ物理チャネルへのマッピングを行う（ステップＳ１６１４）。
【００８３】
次に、本発明の他の実施例にかかる送信装置について、説明する。
【００８４】
本実施例にかかる送信装置１００の構成は、図２を参照して説明した送信装置と同様の構成であるため、その説明を省略する。本実施例にかかる送信装置１００は、上述した実施例にかかる送信装置と制御情報生成部１０６の動作が異なる。
【００８５】
制御情報生成部１０６は、周波数スケジューリング部１０４においてリソースブロックを割り当てた移動局に対応する制御情報を作成する。
【００８６】
例えば、制御情報生成部１０６は、Ｌｏｃａｌｉｚｅｄ型送信を行うリソースブロックの番号に対して、リソースブロックの物理的な位置を示す識別符号、例えば番号を割り当てる。例えば、図５に示すように、帯域内に１６個のリソースブロックが存在する場合、全てのリソースブロックがＬｏｃａｌｉｚｅｄ型送信を行うリソースブロックの場合、Ｌｏｃａｌｉｚｅｄ型送信を行うリソースブロックの番号とリソースブロックの物理的な位置を示す番号とが同一となる。
【００８７】
また、制御情報生成部１０６は、Ｄｉｓｔｒｉｂｕｔｅｄ型送信を行う場合、一部のリソースブロックを、Ｄｉｓｔｒｉｂｕｔｅｄ型送信を行うリソースブロックに置き換える。例えば、制御情報生成部１０６は、４個のリソースブロックを、Ｄｉｓｔｒｉｂｕｔｅｄ型送信を行うリソースブロックに変換する。
【００８８】
ただし、本実施例においては、Ｄｉｓｔｒｉｂｕｔｅｄ型送信を行うリソースブロックの数に応じて、どのＬｏｃａｌｉｚｅｄ型送信を行うリソースブロックを、Ｄｉｓｔｒｉｂｕｔｅｄ型送信を行うリソースブロックに置き換えるかのルールはあらかじめ決まっている場合について説明する。
【００８９】
例えば、制御情報生成部１０６は、以下に示す方法を用いて、周波数ブロック、分散型ブロックを割り当てる。１つの分散型リソースブロック（分散型周波数ブロック）をＮＤ個のリソースブロックに分割される場合について示す。ここで、ＮＤ個のリソースブロックは、式（１）に示すＣだけ離れた位置に配置される。
【００９０】
【数１】
0004799633.tif 000002
ＮＰＲＢは、リソースブロックの物理的な位置を示す数である。式（１）は、ＮＰＲＢ／ＮＤの値の小数点以下を切り捨てる計算を行うことを示す。
【００９１】
さらに、分散型リソースブロック数をＮＤＶＲＢ、かつＮＤＶＲＢ＝ＮＤ−ＰＲＢ×ＮＤ（ＮＤ−ＰＲＢは０≦ＮＤ−ＰＲＢ≦Ｃを満たす整数)とした場合、合計ＮＤ−ＰＲＢ個の"Ｐａｉｒｅｄ物理リソースブロック"が分散型送信に割り当てられる。物理リソースブロックの位置ｋは、式（２）で表される。
【００９２】
【数２】
0004799633.tif 000003
ただし、ｉ＝０，・・・，ＮＤ−１，ｊ＝０，・・・，ＮＤ−ＰＲＢ−１である。
【００９３】
ＮＰＲＢ＝１２、ＮＤ＝２の場合で、ＮＤＶＲＢが２の場合について図１７Ａ、ＮＤＶＲＢが４の場合について図１７Ｂに示す。
【００９４】
このようにすることにより、送信装置１００は分散型リソースブロックの数を通知するだけで、受信装置に割り当て情報を通知することができる。例えば、Ｌｏｃａｌｉｚｅｄ型送信を行う移動局は、割り当てブロックの位置のみで、自移動局に割り当てられたリソースブロックを認識できる。また、Ｄｉｓｔｒｉｂｕｔｅｄ型送信を行う移動局は、分散型リソースブロックの数と割り当て位置を示す情報により、自移動局に割り当てられたリソースブロックを認識できる。
【００９５】
また、Ｄｉｓｔｒｉｂｕｔｅｄ型送信に割り当てられるリソースブロックを、Ｄｉｓｔｒｉｂｕｔｅｄ型送信を行うリソースブロックの数から一意に決定することができるため、Ｄｉｓｔｒｉｂｕｔｅｄ型送信を行うリソースブロックの数から、各番号のＤｉｓｔｒｉｂｕｔｅｄ型送信を行うリソースブロックと、Ｌｏｃａｌｉｚｅｄ型送信を行うリソースブロックの物理的位置を一意に同定できる。このため、割り当て情報の通知を少ないビット数で実現できる。
【００９６】
一例として、移動局０（ＵＥ０）、移動局１（ＵＥ１）、移動局２（ＵＥ２）、移動局３（ＵＥ３）および移動局４（ＵＥ４）に対して、リソースブロックを割り当てる場合について、図１８を参照して説明する。
【００９７】
例えば、移動局０、１および２は低モビリティのユーザであり、移動局３および４は高モビリティのユーザである。したがって、周波数スケジューリング部１０４は、移動局０、１および２に対してＬｏｃａｌｉｚｅｄ型送信を行うリソースブロックを割り当て、移動局３および４に対してＤｉｓｔｒｉｂｕｔｅｄ型送信を行うリソースブロックを割り当てる。
【００９８】
例えば、周波数スケジューリング部１０４は、移動局０に対してリソースブロック＃１、＃２および＃５を割り当て、移動局１に対してリソースブロック＃３を割り当て、移動局＃２に対してリソースブロック＃６、＃７、＃９、＃１０、＃１１、＃１３、＃１４および＃１５を割り当て、移動局＃３に対してリソースブロック＃０、＃４および＃８を割り当て、移動局＃４に対してリソースブロック＃１２を割り当てる。
【００９９】
割り当て情報の通知方法について説明する。
【０１００】
複数の移動局の割り当て情報をまとめて符号化して送信する場合、図１９に示すように、制御情報生成部１０６は、ＵＥのインデックスに対応するＵＥ−ＩＤ（Ｒｅｐｌａｃｅｍｅｎｔ  ｏｆ  ＵＥ−ＩＤ  ｂｙ  ＵＥ  ｉｎｄｅｘ）と、各ＵＥの対応する伝送方法（Ｔｒａｎｓｍｉｓｓｉｏｎ  ｍｅｔｈｏｄ  ｆｏｒ  ｅａｃｈ  ＵＥ）と、各リソースブロックに割り当てられたＵＥのインデックス（Ａｓｓｉｇｎｍｅｎｔ  ＵＥ  ｉｎｄｅｘ  ｏｆ  ｅａｃｈ  ＲＢ）を通知する。
【０１０１】
ＵＥのインデックスに対応するＵＥ−ＩＤは、全移動局を示す識別情報であり、同時に割り当てる最大ユーザ数分あり、それぞれ、割り当てたＵＥのＩＤが指示される。例えば、最大割り当てユーザ数が４、割り当てＵＥ  ＩＤが１２ｂｉｔの場合、＃０：ａｂｃｄｅｆｇｈｉｊｋｌ（割り当てユーザ＃０に指名されたＵＥのＩＤ）、＃１：ｍｎ...、＃２：...、＃３：...、よって合計ビット数は４×１２＝４８ｂｉｔとなる。
【０１０２】
以降の各リソースブロックへの割り当てＵＥ番号は、ＵＥ  ＩＤではなく、割り当てユーザ番号、例えば３ユーザに割り当てを行う場合、０−３（＃０，＃１，＃２，＃３）で指示される。
【０１０３】
各ＵＥの対応する伝送方法では、周波数スケジューリング部１０４において割り当てられたユーザがＤｉｓｔｒｉｂｕｔｅｄ送信かＬｏｃａｌｉｚｅｄ送信かを指示するための情報が格納される。例えば、同時に割り当てる最大ユーザ数分あり、Ｄｉｓｔｒｉｂｕｔｅｄ送信の場合には"１"、Ｌｏｃａｌｉｚｅｄ送信の場合には"０"が格納される。すなわち、全移動局を示す識別情報に対応して割り当てられる前記周波数ブロックおよび前記分割ブロックのうちの一方を示す情報が格納される。
【０１０４】
各リソースブロックに割り当てられたＵＥのインデックスでは、Ｄｉｓｔｒｉｂｕｔｅｄ送信を行うリソースブロックと、Ｌｏｃａｌｉｚｅｄ送信を行うリソースブロックに付与された番号（ここでいう、リソースブロックの番号は、リソースブロックの物理的位置を示す番号ではない）に対応して、割り当てられた移動局を示すユーザ番号が格納される。すなわち、周波数ブロックおよび分割ブロックの位置を示す識別符号に対応する移動局を示す識別情報が格納される。
【０１０５】
例えば、リソースブロック数が１６で、最大割り当てユーザが４（３ｂｉｔ）である場合、必要なビット数は１６×２＝３２ｂｉｔとなる。
【０１０６】
また、割り当て移動局毎に割り当て情報を符号化して送信するようにしてもよい。
【０１０７】
この場合、図２０に示すように、制御情報生成部１０６は、ＵＥのインデックスに対応するＵＥ−ＩＤ（Ａｓｓｉｇｎｍｅｎｔ  ＵＥ−ＩＤ）と、各ＵＥの対応する伝送方法（Ｔｒａｎｓｍｉｓｓｉｏｎ  ｍｅｔｈｏｄ  ｆｏｒ  ｅａｃｈ  ＵＥ）と、各リソースブロックの割り当て情報（Ａｓｓｉｇｎｍｅｎｔ  ｉｎｆｏｒｍａｔｉｏｎ  ｏｆ  ｅａｃｈ  ＲＢ）を通知する。
【０１０８】
ＵＥのインデックスに対応するＵＥ−ＩＤは、移動局を示す識別情報であり、割り当てたＵＥのＩＤが指示される。例えば、割り当てＵＥ  ＩＤが１２ｂｉｔの場合、１２ｂｉｔとなる。
【０１０９】
各ＵＥの対応する伝送方法では、周波数スケジューリング部１０４において割り当てられたユーザがＤｉｓｔｒｉｂｕｔｅｄ送信かＬｏｃａｌｉｚｅｄ送信かを指示するための情報が格納される。例えば、Ｄｉｓｔｒｉｂｕｔｅｄ送信の場合には"１"、Ｌｏｃａｌｉｚｅｄ送信の場合には"０"が格納される。すなわち、移動局を示す識別情報に対応して割り当てられる周波数ブロックおよび分割ブロックのうちの一方を示す情報が格納される。
【０１１０】
各リソースブロックの割り当て情報では、Ｄｉｓｔｒｉｂｕｔｅｄ送信を行うリソースブロックと、Ｌｏｃａｌｉｚｅｄ送信を行うリソースブロックに付与された番号（ここでいう、リソースブロックの番号は、リソースブロックの物理的位置を示す番号ではない）に対応して、割り当てられたか否かを示す情報が格納される。例えば、割り当てられた場合には"１"、割り当てられない場合には"０"が格納される。すなわち、周波数ブロックおよび分割ブロックの位置を示す識別符号に対応する移動局を示す識別情報が格納される。
【０１１１】
次に、本発明の他の実施例にかかる送信装置について、説明する。
【０１１２】
本実施例にかかる送信装置１００の構成は、図２を参照して説明した送信装置と同様の構成であるため、その説明を省略する。本実施例にかかる送信装置１００は、上述した実施例にかかる送信装置と制御情報生成部１０６の動作が異なる。
【０１１３】
制御情報生成部１０６は、周波数スケジューリング部１０４においてリソースブロックを割り当てた移動局に対応する制御情報を作成する。
【０１１４】
本実施例では、Ｄｉｓｔｒｉｂｕｔｅｄ型送信を行うリソースブロックの割り当て位置、及び分割パターンについては、Ｄｉｓｔｒｉｂｕｔｅｄ型送信を行うリソースブロックの数に応じて、どのリソースブロックをＤｉｓｔｒｉｂｕｔｅｄ型送信を行うリソースブロックに置き換えて、どのＤｉｓｔｒｉｂｕｔｅｄ型送信を行うリソースブロックを何分割するかのルールはあらかじめ決まっている。
【０１１５】
一例として、Ｄｉｓｔｒｉｂｕｔｅｄ型送信を行うリソースブロックの数が２である場合および３である場合について、図２１Ａおよび図２１Ｂを参照して説明する。図２１Ａおよび図２１Ｂには、Ｄｉｓｔｒｉｂｕｔｅｄ型送信を行うリソースブロックの数と、Ｄｉｓｔｒｉｂｕｔｅｄ型送信を行うリソースブロックの分割数を一致させた例を示す。
【０１１６】
このように、Ｄｉｓｔｒｉｂｕｔｅｄ型送信を行うリソースブロックの数と、Ｄｉｓｔｒｉｂｕｔｅｄ型送信を行うリソースブロックの分割数を一致させた結果、Ｄｉｓｔｒｉｂｕｔｅｄ型送信を行うリソースブロックの数と、割り当てを行うＤｉｓｔｒｉｂｕｔｅｄ型送信を行うリソースブロック数が等しくなり、Ｄｉｓｔｒｉｂｕｔｅｄ型送信を行うリソースブロック数の値によらず、割り当ての行われないＤｉｓｔｒｉｂｕｔｅｄ型送信を行うリソースブロックがなくなる。すなわち、上述した実施例と比較して、無線リソースの割り当て効率を向上させることができる。
【０１１７】
また、Ｄｉｓｔｒｉｂｕｔｅｄ型送信を行うリソースブロック数と、Ｄｉｓｔｒｉｂｕｔｅｄ型送信を行うリソースブロックの分割数とを一致させないようにしてもよい。
【０１１８】
一例として、Ｄｉｓｔｒｉｂｕｔｅｄ型送信を行うリソースブロック数が５である場合に、Ｄｉｓｔｒｉｂｕｔｅｄ型送信を行うリソースブロックの分割数を２および３にした場合を図２２Ａに示し、Ｄｉｓｔｒｉｂｕｔｅｄ型送信を行うリソースブロックの分割数を５にした場合を図２２Ｂに示す。
【０１１９】
このように、Ｄｉｓｔｒｉｂｕｔｅｄ型送信を行うリソースブロックの分割パターンを複数設けることで、Ｄｉｓｔｒｉｂｕｔｅｄ型送信を行うリソースブロック数と、割り当てを行うＤｉｓｔｒｉｂｕｔｅｄ型送信を行うリソースブロック数を等しくすることができる。
【０１２０】
次に、Ｌｏｃａｌｉｚｅｄ型送信を行うリソースブロックと、Ｄｉｓｔｒｉｂｕｔｅｄ型送信を行うリソースブロックを示す識別符号、具体的には割り当て通し番号のナンバリング方法について、図２１Ａから図２２Ｂを参照して説明する。
【０１２１】
Ｌｏｃａｌｉｚｅｄ型送信を行うリソースブロックと、Ｄｉｓｔｒｉｂｕｔｅｄ型送信を行うリソースブロックに対し、それぞれ独立に、通し番号の割り当てを行う。すなわち、Ｌｏｃａｌｉｚｅｄ型送信を行うリソースブロックに対しては、リソースブロックの物理的な位置を示す番号と、Ｌｏｃａｌｉｚｅｄ型送信を行うリソースブロックへの通し番号が一致するように通し番号の割り当てを行う。一方、Ｄｉｓｔｒｉｂｕｔｅｄ型送信を行うリソースブロックに対しては、各Ｄｉｓｔｒｉｂｕｔｅｄ型送信を行うリソースブロックの分割パターンに応じて、Ｌｏｃａｌｉｚｅｄ型送信を行うリソースブロックの通し番号とは独立に、通し番号の割り当てを行う。
【０１２２】
このように、Ｄｉｓｔｒｉｂｕｔｅｄ型送信を行うリソースブロックに対し、Ｌｏｃａｌｉｚｅｄ型送信を行うリソースブロックとは独立に通し番号の割り当てを行うことにより、さらに、割り当てるリソースブロックの通し番号が連続的になるような割り当てを行うことで、割り当て情報の通知に必要な制御ビットを削減可能である。具体例については後述する。
【０１２３】
ただし、この割り当てるリソースブロックの通し番号が連続的になるような割り当てを行うナンバリング方法は、図６を参照して説明したように、Ｌｏｃａｌｉｚｅｄ型送信を行うリソースブロックに対し、通し番号の割り当てを行ってから、続いて、Ｄｉｓｔｒｉｂｕｔｅｄ型送信を行うリソースブロックの通し番号を振った場合にも適用できる。また、逆に、Ｄｉｓｔｒｉｂｕｔｅｄ型送信を行うリソースブロックに対し、通し番号の割り当てを行ってから、続いてＬｏｃａｌｉｚｅｄ型送信を行うリソースブロックへの通し番号を振った場合にも適用できる。
【０１２４】
また、このナンバリング法は、Ｄｉｓｔｒｉｂｕｔｅｄ型送信を行うリソースブロックの分割数が、予め決められている場合でも、決められていない場合でも適用できる。
【０１２５】
次に、Ｌｏｃａｌｉｚｅｄ型送信を行うリソースブロックと、Ｄｉｓｔｒｉｂｕｔｅｄ型送信を行うリソースブロックを示す識別符号、具体的には割り当て通し番号の他のナンバリング方法について、図２３Ａから図２４Ｂを参照して説明する。
【０１２６】
Ｌｏｃａｌｉｚｅｄ型送信を行うリソースブロックへの通し番号の割り当ては、図２３Ａに示すように予め決定される。同様に、Ｄｉｓｔｒｉｂｕｔｅｄ型送信を行うリソースブロックへの通し番号の割り当ては、図２３Ｂに示すように予め決定される。図２３Ｂには、一例としてリソースブロックの分割数が２の場合について示される。
【０１２７】
この場合、Ｄｉｓｔｒｉｂｕｔｅｄ型送信を行うリソースブロックの数に応じて、該Ｄｉｓｔｒｉｂｕｔｅｄ型送信を行うリソースブロックに割り当てられるリソースブロックの物理的な位置が決定される。例えば、Ｄｉｓｔｒｉｂｕｔｅｄ型送信を行うリソースブロックの数が２である場合には、リソースブロックの物理的な位置が０と、８のリソースブロックがＤｉｓｔｒｉｂｕｔｅｄ型送信を行うリソースブロックとなり、Ｄｉｓｔｒｉｂｕｔｅｄ型送信を行うリソースブロックを示す識別符号は０と１となる。
【０１２８】
さらに、Ｄｉｓｔｒｉｂｕｔｅｄ型送信を行うリソースブロックの数が偶数であるか奇数であるかに応じて、図２４Ａおよび図２４Ｂに示すように、各Ｄｉｓｔｒｉｂｕｔｅｄ型送信を行うリソースブロックの分割パターン及びＤｉｓｔｒｉｂｕｔｅｄ型送信を行うリソースブロックへの通し番号の割り当てを異なるようにしてもよい。図２４Ａには、Ｄｉｓｔｒｉｂｕｔｅｄ型送信を行うリソースブロックの数が偶数、一例としてＤｉｓｔｒｉｂｕｔｅｄ型送信を行うリソースブロックの分割数を２に統一した場合について示される。図２４Ｂには、Ｄｉｓｔｒｉｂｕｔｅｄ型送信を行うリソースブロックの分割数が奇数、一例としてＤｉｓｔｒｉｂｕｔｅｄ型送信を行うリソースブロックの分割数を１、２、及び３を組み合わせた場合について示される。
【０１２９】
図２４Ａや図２４ＢのようなＤｉｓｔｒｉｂｕｔｅｄ型送信を行うリソースブロックの分割数のパターンおよびＤｉｓｔｒｉｂｕｔｅｄ型送信を行うリソースブロックへの通し番号は一例であり、適宜変更可能である。
【０１３０】
このように、Ｄｉｓｔｒｉｂｕｔｅｄ型送信を行うリソースブロックの数が奇数か、偶数かによって、各Ｄｉｓｔｒｉｂｕｔｅｄ型送信を行うリソースブロックの分割パターン及びＤｉｓｔｒｉｂｕｔｅｄ型送信を行うリソースブロックへの通し番号を変えることによって、Ｄｉｓｔｒｉｂｕｔｅｄ型送信を行うリソースブロック数がどのような値を取った場合でも、移動局は、Ｄｉｓｔｒｉｂｕｔｅｄ型送信を行うリソースブロックが偶数か奇数かさえ分かれば、各Ｄｉｓｔｒｉｂｕｔｅｄ型送信を行うリソースブロックの分割パターンを知ることが可能となる。
【０１３１】
例えば、Ｄｉｓｔｒｉｂｕｔｅｄ型送信を行うリソースブロック数が４である場合、図２４Ａに示される通し番号の割り当てに基づいて、Ｄｉｓｔｒｉｂｕｔｅｄ型送信を行うリソースブロック、すなわちリソースブロックの物理的な位置を示す番号０、４、８、１２に対応するリソースブロックがＤｉｓｔｒｉｂｕｔｅｄ型送信を行うリソースブロックとなり、０から３の番号が割り当てられ、他のリソースブロックはＬｏｃａｌｉｚｅｄ型送信を行うリソースブロックとなる（図２５Ａ）。
【０１３２】
また、例えば、Ｄｉｓｔｒｉｂｕｔｅｄ型送信を行うリソースブロック数が５である場合、図２４Ｂに示される通し番号の割り当てに基づいて、Ｄｉｓｔｒｉｂｕｔｅｄ型送信を行うリソースブロック、すなわちリソースブロックの物理的な位置を示す番号０、４、７、１２、１５に対応するリソースブロックがＤｉｓｔｒｉｂｕｔｅｄ型送信を行うリソースブロックとなり、０から４の番号が割り当てられ、他のリソースブロックはＬｏｃａｌｉｚｅｄ型送信を行うリソースブロックとなる（図２５Ｂ）。
【０１３３】
次に、移動局への割り当て情報の通知方法について説明する。
【０１３４】
Ｄｉｓｔｒｉｂｕｔｅｄ型送信を行うリソースブロックへの割り当てを行う際に、割り当てるリソースブロック番号が連続の通し番号とすることにより、割り当てた移動局に対して、割り当て情報を符号化して送信する場合に、個々にリソースブロックの割り当て情報を通知するよりも、制御ビット数を削減できる。この場合、複数の移動局の割り当て情報をまとめて符号化して送信する場合でも適用することができる。
【０１３５】
また、Ｄｉｓｔｒｉｂｕｔｅｄ型送信を行うリソースブロックの割り当ては、どのＤｉｓｔｒｉｂｕｔｅｄ型送信を行うリソースブロックに対して割り当てを行った場合でも特性的には同じとなる。このため、割り当てるＤｉｓｔｒｉｂｕｔｅｄ型送信を行うリソースブロック番号に特性が依存しないようにできる。
【０１３６】
割り当てＵＥ毎に割り当て情報を符号化して送信する方法について説明する。
【０１３７】
Ｄｉｓｔｒｉｂｕｔｅｄ型送信を行うリソースブロックの分割数が、予め決められていない場合について、図２６を参照して説明する。この場合、Ｄｉｓｔｒｉｂｕｔｅｄ型送信を行うリソースブロックの分割数を含めた情報が、割り当て情報として通知される。
【０１３８】
基地局は、割り当て情報として、割り当てられた移動局のＩＤ（Ａｓｓｉｇｎｅｄ  ＵＥ−ＩＤ）と、Ｌｏｃａｌｉｚｅｄ型送信を行うかＤｉｓｔｒｉｂｕｔｅｄ型送信を行うかを示す情報（Ｌｏｃａｌｉｚｅｄ  ｏｒ  Ｄｉｓｔｒｉｂｕｔｅｄ）と、Ｄｉｓｔｒｉｂｕｔｅｄ型送信を行う場合に、Ｄｉｓｔｒｉｂｕｔｅｄ型送信を行うリソースブロック数（Ｄｉｓｔｒｉｂｕｔｅｄ  ＲＢ数）と、各リソースブロックに対する割り当て情報とからなる割り当て情報（Ａｓｓｉｇｎｅｄ  ｉｎｆｏｒｍａｔｉｏｎ  ｆｏｒ  ｅａｃｈ  ＲＢ）を通知する。基地局は、このような割り当て情報を構成する制御ビットを、Ｄｉｓｔｒｉｂｕｔｅｄ型送信を行うように割り当てた移動局数分送信する。
【０１３９】
ＵＥ−ＩＤに必要なビット数は、ＵＥのＩＤビット数、例えば１２ビットとなる。Ｌｏｃａｌｉｚｅｄ型送信を行うかＤｉｓｔｒｉｂｕｔｅｄ型送信を行うかを示す情報には、例えばＬｏｃａｌｉｚｅｄ型送信を行う場合には"０"、Ｄｉｓｔｒｉｂｕｔｅｄ型送信を行う場合には"１"が格納される。Ｄｉｓｔｒｉｂｕｔｅｄ  ＲＢ数により、どのＬｏｃａｌｉｚｅｄ型送信を行うリソースブロックがＤｉｓｔｒｉｂｕｔｅｄ型送信を行うリソースブロックに置き換わっているか、また、各Ｄｉｓｔｒｉｂｕｔｅｄ型送信を行うリソースブロックが何分割されているかが分かる。Ａｓｓｉｇｎｅｄ  ｉｎｆｏｒｍａｔｉｏｎ  ｆｏｒ  ｅａｃｈ  ＲＢには、どのＤｉｓｔｒｉｂｕｔｅｄ型送信を行うリソースブロックの、どこの位置に割り当てが行われたかを示す割り当て情報、すなわち、割り当てられたＤｉｓｔｒｉｂｕｔｅｄ型送信を行うリソースブロックと、該Ｄｉｓｔｒｉｂｕｔｅｄ型送信を行うリソースブロックにおいて割り当てが行われた位置を示す情報が格納される。
【０１４０】
ここで、後述するＴｒｅｅ  ｂａｓｅｄ  ａｌｌｃａｔｉｏｎ  ｉｎｆｏｒｍａｔｉｏｎ（例えば、非特許文献１参照）を用いることにより、Ｄｉｓｔｒｉｂｕｔｅｄ型送信を行うリソースブロックに付与された通し番号の何番から何番までに連続して割り当てられたかを示すために送信する割り当て情報の情報量を減少させることができる。具体的には、リソースブロック数が１６である場合、必要なビット数はｌｏｇ２（１６×１７／２）＝７ビットとなる。
【０１４１】
割り当てＵＥ毎に割り当て情報を符号化して送信する他の方法について説明する。
【０１４２】
Ｄｉｓｔｒｉｂｕｔｅｄ型送信を行うリソースブロックの分割数が予め決められていない場合について、図２７を参照して説明する。この場合、Ｄｉｓｔｒｉｂｕｔｅｄ型送信を行うリソースブロックの分割数を含めた情報が、割り当て情報として通知される。
【０１４３】
基地局は、割り当て情報として、割り当てられた移動局のＩＤ（Ａｓｓｉｇｎｅｄ  ＵＥ−ＩＤ）と、Ｌｏｃａｌｉｚｅｄ型送信を行うかＤｉｓｔｒｉｂｕｔｅｄ型送信を行うかを示す情報（Ｌｏｃａｌｉｚｅｄ  ｏｒ  Ｄｉｓｔｒｉｂｕｔｅｄ）と、Ｄｉｓｔｒｉｂｕｔｅｄ型送信を行う場合に、Ｄｉｓｔｒｉｂｕｔｅｄ型送信を行うリソースブロックの分割タイプ、すなわちＤｉｓｔｒｉｂｕｔｅｄ型送信を行うリソースブロックの数が奇数であるか偶数であるかを示す情報（Ｄｉｓｔｒｉｂｕｔｅｄ  ＲＢ  ｄｉｖｉｓｉｏｎ  ｔｙｐｅ）と、各リソースブロックに対する割り当て情報とからなる割り当て情報（Ａｓｓｉｇｎｅｄ  ｉｎｆｏｒｍａｔｉｏｎ  ｆｏｒ  ｅａｃｈ  ＲＢ）を通知する。基地局は、このような割り当て情報を構成する制御ビットを、Ｄｉｓｔｒｉｂｕｔｅｄ型送信を行うように割り当てた移動局数分送信する。
【０１４４】
ＵＥ−ＩＤに必要なビット数は、ＵＥのＩＤビット数、例えば１２ビットとなる。Ｌｏｃａｌｉｚｅｄ型送信を行うかＤｉｓｔｒｉｂｕｔｅｄ型送信を行うかを示す情報には、例えばＬｏｃａｌｉｚｅｄ型送信を行う場合には"０"、Ｄｉｓｔｒｉｂｕｔｅｄ型送信を行う場合には"１"が格納される。Ｄｉｓｔｒｉｂｕｔｅｄ  ＲＢ  ｄｉｖｉｓｉｏｎ  ｔｙｐｅには、例えば、Ｄｉｓｔｒｉｂｕｔｅｄ  ＲＢの数が偶数である場合には"０"、奇数である場合には"１"が格納される。Ｄｉｓｔｒｉｂｕｔｅｄ  ＲＢ  ｄｉｖｉｓｉｏｎ  ｔｙｐｅにより、Ｄｉｓｔｒｉｂｕｔｅｄ  ＲＢの分割パターン及び各Ｄｉｓｔｒｉｂｕｔｅｄ  ＲＢの通し番号が分かる。
【０１４５】
Ａｓｓｉｇｎｅｄ  ｉｎｆｏｒｍａｔｉｏｎ  ｆｏｒ  ｅａｃｈ  ＲＢには、どのＤｉｓｔｒｉｂｕｔｅｄ型送信を行うリソースブロックの、どこの位置に割り当てが行われたかを示す割り当て情報、すなわち、割り当てられたＤｉｓｔｒｉｂｕｔｅｄ型送信を行うリソースブロックと、該Ｄｉｓｔｒｉｂｕｔｅｄ型送信を行うリソースブロックにおいて割り当てが行われた位置を示す情報が格納される。
【０１４６】
ここで、上述したように、後述するＴｒｅｅ  ｂａｓｅｄ  ａｌｌｃａｔｉｏｎ  ｉｎｆｏｒｍａｔｉｏｎを用いることにより、Ｄｉｓｔｒｉｂｕｔｅｄ型送信を行うリソースブロックに付与された通し番号の何番から何番までに連続して割り当てられたかを示すために送信する割り当て情報の情報量を減少させることができる。具体的には、リソースブロック数が１６である場合、必要なビット数はｌｏｇ２（１６×１７／２）＝７ビットとなる。
【０１４７】
割り当てＵＥ毎に割り当て情報を符号化して送信する他の方法について説明する。
【０１４８】
Ｄｉｓｔｒｉｂｕｔｅｄ型送信を行うリソースブロックの分割数が、予め決められている場合について、図２８を参照して説明する。
【０１４９】
Ｄｉｓｔｒｉｂｕｔｅｄ型送信を行うリソースブロックの分割数が予め決められている場合とは、図２４Ａおよび図２４Ｂに示すように、全てのＤｉｓｔｒｉｂｕｔｅｄ型送信を行うリソースブロックの分割数が統一されていてもいいし、統一されていなくてもよい。
【０１５０】
基地局は、割り当て情報として、割り当てられた移動局のＩＤ（Ａｓｓｉｇｎｅｄ  ＵＥ−ＩＤ）と、Ｌｏｃａｌｉｚｅｄ型送信を行うかＤｉｓｔｒｉｂｕｔｅｄ型送信を行うかを示す情報（Ｌｏｃａｌｉｚｅｄ  ｏｒ  Ｄｉｓｔｒｉｂｕｔｅｄ）と、各リソースブロックに対する割り当て情報とからなる割り当て情報（Ａｓｓｉｇｎｅｄ  ｉｎｆｏｒｍａｔｉｏｎ  ｆｏｒ  ｅａｃｈ  ＲＢ）を通知する。基地局は、このような割り当て情報を構成する制御ビットを、Ｄｉｓｔｒｉｂｕｔｅｄ型送信を行うように割り当てた移動局数分送信する。
【０１５１】
ＵＥ−ＩＤに必要なビット数は、ＵＥのＩＤビット数、例えば１２ビットとなる。Ｌｏｃａｌｉｚｅｄ型送信を行うかＤｉｓｔｒｉｂｕｔｅｄ型送信を行うかを示す情報には、例えばＬｏｃａｌｉｚｅｄ型送信を行う場合には"０"、Ｄｉｓｔｒｉｂｕｔｅｄ型送信を行う場合には"１"が格納される。Ａｓｓｉｇｎｅｄ  ｉｎｆｏｒｍａｔｉｏｎ  ｆｏｒ  ｅａｃｈ  ＲＢには、Ｄｉｓｔｒｉｂｕｔｅｄ型送信を行うリソースブロックを何分割するかが予め決められているので、図２３Ｂを参照して説明したＤｉｓｔｒｉｂｕｔｅｄ型送信を行うリソースブロックへの通し番号を用いて、Ｔｒｅｅ  ｂａｓｅｄ  ａｌｌｏｃａｔｉｏｎ  ｉｎｆｏｒｍａｔｉｏｎにより割り当てを行うことで、割り当て情報のみを通知すれば、移動局は割り当て位置を特定することが可能となる。
【０１５２】
例えば、図２９に示すように、リソースブロックの数が６、Ｄｉｓｔｒｉｂｕｔｅｄ型送信を行うリソースブロックへの通し番号、２、３、４に連続して割り当てを行った場合には、自局への割り当て情報２、３、４さえ分かれば、割り当て位置を特定可能となる。
【０１５３】
次に、Ｔｒｅｅ  ｂａｓｅｄ  ａｌｌｏｃａｔｉｏｎ  ｉｎｆｏｒｍａｔｉｏｎを適用して割り当て情報を通知する方法について説明する。
【０１５４】
一例として、図３０に示すように、リソースブロックの数が６、Ｄｉｓｔｒｉｂｕｔｅｄ型送信を行うリソースブロックへの通し番号、０、１、２に連続して割り当てを行った場合について説明する。
【０１５５】
Ｔｒｅｅ  ｂａｓｅｄ  ａｌｌｏｃａｔｉｏｎ  ｉｎｆｏｒｍａｔｉｏｎを適用した場合、図３１に示すｔｒｅｅ図を用いて、割り当て番号の始点の番号、終点の番号から延長した直線上で交差する点の番号を通知する（図の例では"１２"になる）。
【０１５６】
Ｔｒｅｅを表すのに必要な番号の数は、リソースブロックの数（図の例では、Ｄｉｓｔｒｉｂｕｔｅｄ型送信を行うリソースブロックの数）に依存する。具体的には、Ｎ個のリソースブロック表すのに必要な番号の数は、Ｎ×（Ｎ＋１）／２の式で表される。
【０１５７】
よって、Ｔｒｅｅ  ｂａｓｅｄ  ａｌｌｏｃａｔｉｏｎ  ｉｎｆｏｒｍａｔｉｏｎを用いて、割り当て情報を通知するのに必要なビット数は、ｌｏｇ２（Ｎ×（Ｎ＋１）／２となる。
【０１５８】
このようなＴｒｅｅ  ｂａｓｅｄ  ａｌｌｃａｔｉｏｎ  ｉｎｆｏｒｍａｔｉｏｎを用いることにより、Ｄｉｓｔｒｉｂｕｔｅｄ型送信を行うリソースブロックに付与された通し番号の何番から何番までに連続して割り当てられたかを示すために送信する割り当て情報の情報量を減少させることができる。
【０１５９】
以上の実施例を含む実施形態に関し、更に、以下の項目を開示する。
【０１６０】
（１）  各ユーザに対してシステム帯域幅を連続する周波数サブキャリアのブロックに分割した周波数ブロックおよびシステム帯域幅内に離散的に分散した周波数サブキャリアからなる分散型周波数ブロックのうちの一方を割り当てる周波数スケジューリング手段；
前記割り当てに応じて、前記周波数ブロックおよび分散型周波数ブロックのうちの一方へ送信データの割り当てを行うマッピング手段；
を備え、
前記周波数スケジューリング手段は、前記周波数ブロックを単位として分散型周波数ブロックを割り当て、該分散型周波数ブロックを複数に分割した分割ブロックを割り当てることを特徴とする送信装置。
【０１６１】
（２）  （１）に記載の送信装置において：
前記周波数スケジューリング手段は、前記分散型周波数ブロックを時間方向に分割した分割ブロックを割り当てることを特徴とする送信装置。
【０１６２】
（３）  （１）に記載の送信装置において：
前記周波数スケジューリング手段は、前記分散型周波数ブロックを周波数方向に分割した分割ブロックを割り当てることを特徴とする送信装置。
【０１６３】
（４）  （１）に記載の送信装置において：
各移動局の状態に応じて、前記周波数ブロックおよび前記分散型周波数ブロックの割り当て比率を決定する割り当て比率決定手段；
を備え、
前記前記周波数スケジューリング手段は、前記割り当て比率に基づいて、所定の周期で、前記周波数ブロックおよび前記分散型周波数ブロックの割り当て比率を変更することを特徴とする送信装置。
【０１６４】
（５）  （１）に記載の送信装置において：
前記分割ブロックの数に応じて、前記周波数ブロックおよび前記分割ブロックの位置を示す識別符号を生成し、該識別符号に基づいて、移動局に割り当てられる周波数ブロックおよび分割ブロックの一方を示す制御情報を生成する制御情報生成手段；
前記制御情報を通知する通知手段；
を備えることを特徴とする送信装置。
【０１６５】
（６）  （５）に記載の送信装置において：
前記制御情報生成手段は、前記識別符号の数と、前記周波数ブロックおよび前記分割ブロックのうちの一方が割り当てられる全移動局を示す情報と、各識別符号に対応する移動局を示す情報とを、制御情報として生成することを特徴とする送信装置。
【０１６６】
（７）  （５）に記載の送信装置において：
前記制御情報生成手段は、前記識別符号の数と、前記周波数ブロックおよび前記分割ブロックのうちの一方が割り当てられる移動局を示す情報と、各識別符号に対応する前記移動局を示す情報とを、制御情報として生成することを特徴とする送信装置。
【０１６７】
（８）  （５）に記載の送信装置において：
前記周波数ブロックおよび前記分散型周波数ブロックに対して、その位置を示す符号が割り当てられ、前記分散型周波数ブロックは、分割数に応じて、所定の周波数ブロック数だけ離して配置され、
前記制御情報生成手段は、周波数ブロックに対し、対応する位置を示す情報を識別情報として割り当て、前記分散ブロックに対し、前記位置を示す符号と、前記分割数に基づいて、対応する位置を示す情報を割り当てることを特徴とする送信装置。
【０１６８】
（９）  （８）に記載の送信装置において：
前記制御情報生成手段は、全移動局を示す識別情報と、前記全移動局を示す識別情報に対応して割り当てられる前記周波数ブロックおよび前記分割ブロックのうちの一方を示す情報と、前記周波数ブロックおよび前記分割ブロックの位置を示す識別符号に対応する移動局を示す識別情報とを、制御情報として生成することを特徴とする送信装置。
【０１６９】
（１０）  （８）に記載の送信装置において：
前記制御情報生成手段は、移動局を示す識別情報と、前記移動局を示す識別情報に対応して割り当てられる前記周波数ブロックおよび前記分割ブロックのうちの一方を示す情報と、前記周波数ブロックおよび前記分割ブロックの位置を示す識別符号に対応する移動局を示す識別情報とを、制御情報として生成することを特徴とする送信装置。
【０１７０】
（１１）  各ユーザに対してシステム帯域幅を連続する周波数サブキャリアのブロックに分割した周波数ブロックおよびシステム帯域幅内に離散的に分散した周波数サブキャリアからなる分散型周波数ブロックのうちの一方を割り当てる場合に、前記周波数ブロックを単位として割り当てられた分散型周波数ブロックを複数に分割した分割ブロックを割り当てる分割ブロック割り当てステップ；
前記割り当てに応じて、前記周波数ブロックおよび分散型周波数ブロックのうちの一方へ送信データの割り当てを行うマッピングステップ；
を有することを特徴とする送信方法。
【０１７１】
（１２）  （１１）に記載の送信方法において：
前記分割ブロック割り当てステップは、前記分散型周波数ブロックを時間方向に分割した分割ブロックを割り当てることを特徴とする送信方法。
【０１７２】
（１３）  （１１）に記載の送信方法において：
前記分割ブロック割り当てステップは、前記分散型周波数ブロックを周波数方向に分割した分割ブロックを割り当てることを特徴とする送信方法。
【０１７３】
（１４）  （１１）に記載の送信方法において：
各移動局の状態に応じて、前記周波数ブロックおよび前記分散型周波数ブロックの割り当て比率を決定する割り当て比率決定ステップ；
を有し、
前記分割ブロック割り当てステップは、前記割り当て比率に基づいて、所定の周期で、前記周波数ブロックおよび前記分散型周波数ブロックの割り当て比率を変更することを特徴とする送信方法。
【０１７４】
（１５）  （１１）に記載の送信方法において：
前記分割ブロックの数に応じて、前記周波数ブロックおよび前記分割ブロックの位置を示す識別符号を生成する識別符号生成ステップ；
該識別符号に基づいて、移動局に割り当てられる周波数ブロックおよび分割ブロックの一方を示す制御情報を生成する制御情報生成ステップ；
前記制御情報を通知する通知ステップ；
を有することを特徴とする送信方法。
【０１７５】
（１６）  （１５）に記載の送信方法において：
前記周波数ブロックおよび前記分散型周波数ブロックに対して、その位置を示す符号が割り当てられ、前記分散型周波数ブロックは、分割数に応じて、所定の周波数ブロック数だけ離して配置され、
前記制御情報生成ステップは、周波数ブロックに対し、対応する位置を示す情報を識別符号として割り当て、前記分散ブロックに対し、前記位置を示す符号と、前記分割数に基づいて、対応する位置を示す情報を割り当てることを特徴とする送信方法。
【０１７６】
（１７）  （５）に記載の送信装置において：
前記周波数ブロックおよび前記分散型周波数ブロックに対して、その位置を示す符号が割り当てられ、前記分散型周波数ブロックの数に応じて、分割ブロックの識別符号が予め決定され、
前記制御情報生成手段は、移動局を示す識別情報と、前記移動局を示す識別情報に対応して割り当てられる前記周波数ブロックおよび前記分割ブロックのうちの一方を示す情報と、分散型周波数ブロックの数と、前記移動局に割り当てられる分割ブロックの識別符号とを、制御情報として生成することを特徴とする送信装置。
【０１７７】
（１８）  （１７）に記載の送信装置において：
前記分散型周波数ブロックの数が奇数であるか偶数であるかによって、前記分割ブロックに対し異なる識別符号が予め決定され、
前記制御情報生成手段は、移動局を示す識別情報と、前記移動局を示す識別情報に対応して割り当てられる前記周波数ブロックおよび前記分割ブロックのうちの一方を示す情報と、分散型周波数ブロックの数が偶数であるか奇数であるかを示す情報と、前記移動局に割り当てられる分割ブロックの識別符号とを、制御情報として生成することを特徴とする送信装置。
【０１７８】
（１９）  （５）に記載の送信装置において：
前記周波数ブロックおよび前記分散型周波数ブロックに対して、その位置を示す符号が割り当てられ、前記分散型周波数ブロックの数に応じて、分割ブロックの識別符号が予め決定され、
前記制御情報生成手段は、前記分散型周波数ブロックの数が予め決定されている場合に、移動局を示す識別情報と、前記移動局を示す識別情報に対応して割り当てられる前記周波数ブロックおよび前記分割ブロックのうちの一方を示す情報と、前記移動局に割り当てられる分割ブロックの識別符号とを、制御情報として生成することを特徴とする送信装置。
【０１７９】
（２０）  （１７）ないし（１９）のいずれか１項に記載の送信装置において：
前記制御情報生成手段は、前記移動局に割り当てられる分割ブロックの識別符号として、連続する識別符号が前記移動局に割り当てられる場合に、Ｔｒｅｅ  ｂａｓｅｄ  Ｒｅｓｏｕｒｃｅ  Ａｌｌｏｃａｔｉｏｎを適用することにより求められる値を生成することを特徴とする送信装置。
【産業上の利用可能性】
【０１８０】
本発明にかかる送信装置および送信方法は、無線通信システムに適用できる。
【符号の説明】
【０１８１】
１００  送信装置
【図１Ａ】
0004799633.tif 000004
【図１Ｂ】
0004799633.tif 000005
【図２】
0004799633.tif 000006
【図３】
0004799633.tif 000007
【図４Ａ】
0004799633.tif 000008
【図４Ｂ】
0004799633.tif 000009
【図５】
0004799633.tif 000010
【図６】
0004799633.tif 000011
【図７】
0004799633.tif 000012
【図８】
0004799633.tif 000013
【図９】
0004799633.tif 000014
【図１０】
0004799633.tif 000015
【図１１】
0004799633.tif 000016
【図１２】
0004799633.tif 000017
【図１３】
0004799633.tif 000018
【図１４】
0004799633.tif 000019
【図１５】
0004799633.tif 000020
【図１６】
0004799633.tif 000021
【図１７Ａ】
0004799633.tif 000022
【図１７Ｂ】
0004799633.tif 000023
【図１８】
0004799633.tif 000024
【図１９】
0004799633.tif 000025
【図２０】
0004799633.tif 000026
【図２１Ａ】
0004799633.tif 000027
【図２１Ｂ】
0004799633.tif 000028
【図２２Ａ】
0004799633.tif 000029
【図２２Ｂ】
0004799633.tif 000030
【図２３Ａ】
0004799633.tif 000031
【図２３Ｂ】
0004799633.tif 000032
【図２４Ａ】
0004799633.tif 000033
【図２４Ｂ】
0004799633.tif 000034
【図２５Ａ】
0004799633.tif 000035
【図２５Ｂ】
0004799633.tif 000036
【図２６】
0004799633.tif 000037
【図２７】
0004799633.tif 000038
【図２８】
0004799633.tif 000039
【図２９】
0004799633.tif 000040
【図３０】
0004799633.tif 000041
【図３１】
0004799633.tif 000042